(57)【要約】【課題】鋭利な刃物等で基板ケースに孔を開けることを困難にするとともに、たとえ基板ケースに孔が開けられても、その痕跡を隠蔽不能とすることにより、回路基板の不正改造を効果的に防止する。【解決手段】透明な樹脂により形成され、内部に主基板２を収容する主基板ケース１であって、ケース内側面（又は外側面）に沿って、透明なガラス板５を配置する。具体的には、主基板２の部品実装面を覆う表側ケース３と、主基板２の裏面を覆う裏側ケース４と、ガラス板５を保持する一対のガラスホルダ６、７とを備え、ガラス板５を、一対のガラスホルダ６、７間に挟んだ状態で、表側ケース３の内側面に沿って配置する。【選択図】図３
2009089929.tif 000002
【特許請求の範囲】
【請求項１】
透明な樹脂により形成され、内部に回路基板を収容する遊技機用基板ケースであって、
ケース内側面又は外側面に沿って、透明なガラス板が配置されることを特徴とする遊技機用基板ケース。
【請求項２】
透明な樹脂により形成され、前記回路基板の部品実装面を覆う表側ケースと、
透明な樹脂により形成され、前記回路基板の裏面を覆う裏側ケースと、
透明な樹脂により形成され、前記ガラス板を保持する一対のガラスホルダと、を備え、
前記ガラス板が、一対の前記ガラスホルダ間に挟持され、前記表側ケースの内側面に沿って配置される請求項１記載の遊技機用基板ケース。
【請求項３】
一対の前記ガラスホルダ間に挟持された前記ガラス板が、前記ガラスホルダを介して、前記表側ケースに固定される請求項２記載の遊技機用基板ケース。
【請求項４】
一対の前記ガラスホルダ間に挟持された前記ガラス板が、前記ガラスホルダを介して、前記回路基板に固定される請求項２記載の遊技機用基板ケース。
【請求項５】
一対の前記ガラスホルダ間に挟持された前記ガラス板が、前記ガラスホルダを介して、前記裏側ケースに固定される請求項２記載の遊技機用基板ケース。
【請求項６】
透明な樹脂により形成され、前記回路基板の部品実装面を覆う表側ケースと、
透明な樹脂により形成され、前記回路基板の裏面を覆う裏側ケースと、
透明な樹脂により形成され、前記ガラス板を保持するガラスホルダと、を備え、
前記ガラス板が、前記表側ケースの内側面と前記ガラスホルダとの間に挟持される請求項１記載の遊技機用基板ケース。
【発明の詳細な説明】
【技術分野】
【０００１】
本発明は、回路基板を収容する遊技機用基板ケースに関し、特に、鋭利な刃物や特殊な器具等で基板ケースに孔を開け、回路基板を不正に改造する行為を効果的に防止できる遊技機用基板ケースに関する。
【背景技術】
【０００２】
一般に、スロットマシンやパチンコ機等の遊技機には、多くの回路基板が配設されており、これらが相互に電気ケーブルを介して接続され、種々の装置を駆動制御している。
これらの回路基板のうち、遊技機の全体を制御し、中核となる回路基板が主基板である。
【０００３】
主基板は、マイクロコンピュータを構成しており、搭載されているＲＯＭには、遊技機のゲーム性を支配するプログラムが記憶されている。
遊技機より払い出される遊技媒体は、高価な景品と交換可能なため、遊技機は、不正行為者の標的となり易く、特に、主基板は、不正改造の標的とされやすい。
そのために、主基板は、これを保護する透明な基板ケースにより覆われているとともに、基板ケースを開封不能に封止する封止構造が、一般的に採用されている。
【０００４】
一般的な封止構造は、所定の特殊なネジ（例えば、締め付け方向のみ回し操作可能な一方向操作ネジ）等により、表側ケースと裏側ケースを開封不能に封止するようになっており、開封するためには、封止構造を破壊しなければ開封できないようになっている（例えば、特許文献１参照）。
このように封止構造は、主基板を開封不能に保護する構造であり、開封するには、無理にこじ開けたり、基板ケースを破壊するなど開封の痕跡が残るように開封しなければならないため、不正行為対策として一定の効果を奏している。
【０００５】
また、特許文献２には、基板ケースの放熱孔を利用する不正行為の防止構造が示されている。
放熱孔を利用する不正行為は、基板ケースの外部から放熱孔に金属などの細線（例えば、ピアノ線）を挿通し、細線の先端を回路基板に実装されている部品に到達させることにより行われるものである。
特許文献２に示される基板ケースでは、表側ケースと回路基板との間に板状の中間部材を配置するとともに、表側ケースに形成される放熱孔と、中間部材に形成される放熱孔の位置をずらすことにより、放熱孔を利用する不正行為を困難にしている。
【０００６】
【特許文献１】特開２０００−１４０３５２号公報
【特許文献２】特開２００５−１６０５９５号公報
【発明の開示】
【発明が解決しようとする課題】
【０００７】
しかしながら、最近の不正改造は、基板ケースの破壊を伴うものであっても、破壊の痕跡を巧妙に隠蔽するために、外見からでは不正改造の有無を判別不能な場合も見受けられる。
一般的に、基板ケースは、透明な樹脂で形成されており、カッター等の鋭利な刃物や、高熱に熱した器具、工具などを用いると、切断、溶融することができるとともに、接着等による修復も可能なため、外見からでは、破壊の痕跡を判別することが困難となり、不正発見が遅れることもあった。
例えば、特許文献１、２に記載された基板ケースであっても、表側ケースの一部を丁寧にカッター等で切断して不正改造用の孔を開け、この孔を介して回路基板の不正改造（ＲＯＭ交換等）を行った後、孔を切断片で塞いで接着することで、外見からでは、不正改造の判別が困難になってしまう。
【０００８】
このように主基板を含む回路基板は、封止構造を有する基板ケースに保護されている反面、不正改造がなされた場合には、目立ちにくく、その痕跡の判別が容易ではないというのが実状である。
この結果、不正の発見が遅れてしまい、発見したときには、大量の遊技媒体が窃取されてしまった後となる場合も多い。
以上のように、封止構造の強化の必要性もさることながら、基板ケースに孔を開けるといった大胆な不正行為を防止したり、その痕跡が隠蔽されないようにすることが重要な課題となっている。
【０００９】
本発明は、上記の事情に鑑みなされたものであり、鋭利な刃物や熱した器具等で基板ケースに孔を開けることを困難にするとともに、たとえ基板ケースに孔が開けられても、その痕跡を隠蔽不能とすることにより、回路基板の不正改造を効果的に防止できる遊技機用基板ケースの提供を目的とする。
【課題を解決するための手段】
【００１０】
上記目的を達成するため、本発明の遊技機用基板ケースは、請求項１に記載するように、透明な樹脂により形成され、内部に回路基板を収容する遊技機用基板ケースであって、ケース内側面又は外側面に沿って、透明なガラス板が配置される構成としてある。
このような構成からなる本発明の遊技機用基板ケースによれば、ケース内側面又は外側面に沿って、透明なガラス板が配置されるので、鋭利な刃物や熱した工具等であっても基板ケースに孔を開けることが困難になる。
また、たとえ基板ケースに孔が開けられても、ガラス板が割れる等の修復不能な痕跡が残るので、不正の隠蔽を困難にし、回路基板の不正改造を効果的に防止することができる。
さらに、ガラス板は、基板ケースの形状に対応させて圧入、嵌合させたりビス止め等することにより、簡単にケース内に配設することができ、既存の基板ケースにも直ちに適用することができる。
これによって、安全性が高く、汎用性にも優れた遊技機用基板ケースを実現することができる。
【００１１】
また、請求項２記載の遊技機用基板ケースは、透明な樹脂により形成され、前記回路基板の部品実装面を覆う表側ケースと、透明な樹脂により形成され、前記回路基板の裏面を覆う裏側ケースと、透明な樹脂により形成され、前記ガラス板を保持する一対のガラスホルダとを備え、前記ガラス板が、一対の前記ガラスホルダ間に挟まれ、前記表側ケースの内側面に沿って配置される構成としてある。
このような構成によれば、基板ケースの組立に際し、ガラス板を一対のガラスホルダ間に挟まれた状態で取り扱うことができるので、基板ケースの組立性や、組立時の安全性を向上させることができる。
また、組立後は、ガラス板を一対のガラスホルダ間に密閉できるので、ガラス板が割れた場合、ガラス片の飛散を防止できるだけでなく、割れたガラス片を不正の痕跡として残すことができる。
【００１２】
また、請求項３記載の遊技機用基板ケースは、一対の前記ガラスホルダ間に挟まれた前記ガラス板が、前記ガラスホルダを介して、前記表側ケースに固定される構成としてある。
このような構成によれば、裏側ケースや回路基板に変更を加えなくても、ガラス板の固定が可能になるので、本発明に係る基板ケースの実施が容易になるとともに、実施のコストを削減することができる。
また、一対のガラスホルダ及びガラス板を、あらかじめ表側ケースに組み付けて、表側ケースと一体的に取り扱うことができるので、従来の基板ケースと同等の組立性や取扱性を継承することができる。
【００１３】
また、請求項４記載の遊技機用基板ケースは、一対の前記ガラスホルダ間に挟まれた前記ガラス板が、前記ガラスホルダを介して、前記回路基板に固定される構成としてある。
このような構成によれば、表側ケースや裏側ケースに変更を加えなくても、ガラス板の固定が可能になるので、本発明に係る基板ケースの実施が容易になるとともに、実施のコストを削減することができる。
【００１４】
また、請求項５記載の遊技機用基板ケースは、一対の前記ガラスホルダ間に挟まれた前記ガラス板が、前記ガラスホルダを介して、前記裏側ケースに固定される構成としてある。
このような構成によれば、表側ケースや回路基板に変更を加えなくても、ガラス板の固定が可能になるので、本発明に係る基板ケースの実施が容易になるとともに、実施のコストを削減することができる。
【００１５】
さらに、請求項６記載の遊技機用基板ケースは、透明な樹脂により形成され、前記回路基板の部品実装面を覆う表側ケースと、透明な樹脂により形成され、前記回路基板の裏面を覆う裏側ケースと、透明な樹脂により形成され、前記ガラス板を保持するガラスホルダとを備え、前記ガラス板が、前記表側ケースの内側面と前記ガラスホルダとの間に挟まれる構成としてある。
このような構成によれば、基板ケースとガラスホルダとによって、ガラス板を直接挟持することができ、ガラス板を保持するためのガラスホルダの点数を削減することができ、構造の簡略化やコストダウンを図ることができる。
【発明の効果】
【００１６】
本発明の遊技機用基板ケースによれば、ケース内側面又は外側面に沿って、透明なガラス板が配置されるので、鋭利な刃物や熱した器具等であっても基板ケースに孔を開けることが困難となり、仮に基板ケースに孔が開けられても、ガラス板が割れる等の修復不能な痕跡が残るので、不正の隠蔽を困難にし、回路基板の不正改造を効果的に防止することができる。
これによって、より安全性の高い遊技機用基板ケースを提供することができる。
【発明を実施するための最良の形態】
【００１７】
以下、本発明に係る遊技機用基板ケースの好ましい実施形態について、図１〜図７を参照して説明する。
［第一実施形態］
まず、図１〜図４を参照して、本発明の第一実施形態に係る遊技機用基板ケースの構成について説明する。
図１は、本実施形態に係る遊技機用基板ケースを示す概略斜視図であり、図２は、同じく遊技機用基板ケースが遊技機に配設された状態を示す概略斜視図である。
また、図３及び図４は、本実施形態に係る遊技機用基板ケースの概略断面図である。
これらの図に示すように、本実施形態の遊技機用基板ケースは、遊技機全体を制御する主基板２を収容する主基板ケース１に適用しており、この主基板ケース１が配設される遊技機には、スロットマシン１００を適用するものとする。
適用するスロットマシン１００は、前扉１０１と前扉１０１を開閉自在に支持する筐体１０２から構成される公知の回胴式遊技機であるため、詳細な内部構成に関する説明は省略する。
【００１８】
主基板ケース１は、スロットマシン１００全体を制御し、所定の電子部品が実装された主基板２と、主基板２の部品実装面を覆う表側ケース３と、主基板２の裏面を覆う裏側ケース４と、主基板ケース１の内側面に沿って配置されるガラス板５と、ガラス板５を保持する一対のガラスホルダ６、７とから構成されている。
以下に、各部材の構成について詳述する。
【００１９】
［主基板］
主基板２は、種々の電子部品が実装されたプリント回路基板であり、表側は、ＣＰＵ，ＲＡＭ，ＲＯＭ，クロック発生回路，乱数発生回路や各種周辺回路とのインターフェイス回路などが実装された部品実装面と、裏側は、主にプリントパターンで形成され、上記電子部品の半田接合面となる半田面から構成されている。
なお、図１及び図３においては、不正改造の対象となり易いメインロム２１のみを図示し、他の実装部品は図示を省略する。
そして、主基板２は、図２に示すように、主基板ケース１に収容された状態で、スロットマシン１００の筐体１０２奥壁に配設されており、部品実装面が表面となるように筐体１０２の開口側に向けて配設されているとともに、半田面は、スロットマシン１００の筐体１０２奥壁と対向するように配設されている。
【００２０】
［表側ケース］
表側ケース３は、図１に示す例では、凹室を有する箱状の部材であり、外部から主基板２の部品実装面が視認可能となるように透明な樹脂より形成されている。
表側ケース３の側壁底面は、裏側ケース４と重合されたときに、裏側ケース４の側壁上面と隙間なく当接するように形成されている。
さらに、表側ケース３の一側面には、裏側ケース４に設けられた封止構造（図示せず）と対になって、主基板ケース１を開封不能に封止する封止構造（図示せず）が設けられている。
この封止構造は、所定の特殊なネジ等により、表側ケース３と裏側ケース４を開封不能に封止するようになっており、開封するためには、封止構造を破壊しなければ開封できないようになっている。
なお、この表側ケース３の上面には、主基板２に実装されたコネクタを外部に露出させるための開口部が設けられているが、図示は省略する。
【００２１】
［裏側ケース］
裏側ケース４には、図１に示す例では、凹室を有する箱状の部材であり、外部から主基板２の半田面が視認可能となるように透明な樹脂より形成されている。
裏側ケース４の側壁上面は、表側ケース３と重合されたときに、表側ケース３の側壁底面と隙間なく当接するように形成されている。
このように、表側ケース３と裏側ケース４が隙間なく当接され、その内部に主基板２が収容されることで、外部から主基板２への侵入経路を絶ち、不正行為を排除するようになっている。
また、表側ケース３と裏側ケース４で対をなす封止構造を備えることで、容易に主基板ケース１を開封することができなくなり、不正行為を抑止するようになっている。
【００２２】
ここで、このような封止構造を備える主基板ケース１であっても、樹脂成形品である以上、カッター等の鋭利な刃物や、高熱に熱した工具などを用いると、切断することができるとともに、接着等による修復も可能なため、外見からでは、破壊の痕跡を判別することが困難な状態で不正改造が行われる可能性があった。
本発明は、このような不正改造を効果的に防止するためのものであり、以下、本発明の特徴的な構成について説明する。
【００２３】
［ガラス板］
ガラス板５は、主基板２の視認を妨げないように透明な平板状のガラスからなり、主基板ケース１のケース内側面（表側ケース３の凹室天井面）に沿って配置される。
ガラス板５の大きさは、主基板２の部品実装面全体を覆うように、主基板２とほぼ同等の大きさであることが好ましいが、少なくとも、不正改造の対象となり易いメインロム２１の周辺を覆うことができる大きさであれば良い。
また、ガラス板５の強度（厚さ）は、任意に設定することができる。例えば、強度の高いガラス板５とした場合には、鋭利な刃物等による孔開けを阻止することができ、逆に、強度の低いガラス板５とした場合には、鋭利な刃物等による孔開けを阻止することができないものの、ガラス板５が割れることにより、不正の痕跡を残すことができる。
【００２４】
このように構成された主基板ケース１によれば、ケース内側面に沿って透明なガラス板５が配置されるので、鋭利な刃物等であっても主基板ケース１に孔を開けることが困難になる。また、たとえ主基板ケース１に孔が開けられても、ガラス板５が割れる等の修復不能な痕跡が残るので、不正の隠蔽を困難にし、主基板２の不正改造を効果的に防止できる。
【００２５】
［ガラスホルダ］
ガラスホルダ６、７は、凹室を有する箱状の部材であり、主基板２の視認を妨げないように透明な樹脂より形成されている。
ガラス板５は、これら一対のガラスホルダ６、７間に挟まれる状態で保持され、表側ケース３の内側面に沿って配置されるようになっている。
具体的には、一方のガラスホルダ６内に、ガラス板５と、他方のガラスホルダ７を順次重ね合わせた状態で収容することにより、ガラス板５が一対のガラスホルダ６、７間で挟持される。
【００２６】
このような構成によれば、主基板ケース１の組立に際し、ガラス板５を一対のガラスホルダ６、７間に挟まれた状態で取り扱うことができるので、主基板ケース１の組立性や、組立時の安全性を向上させることができる。
また、組立後は、ガラス板５を一対のガラスホルダ６、７間に密閉できるので、ガラス板５が割れた場合、ガラス片の飛散を防止できるだけでなく、割れたガラス片を不正の痕跡として残すことができる。
【００２７】
本実施形態の主基板ケース１では、一対のガラスホルダ６、７間に挟み込んだガラス板５を、ガラスホルダ６、７を介して、表側ケース３に固定してある。
このような構成によれば、裏側ケース４や主基板２に変更を加えなくても、ガラス板５の固定が可能になるので、本発明に係る主基板ケース１の実施が容易になるとともに、実施のコストを削減することができる。
また、一対のガラスホルダ６、７及びガラス板５を、あらかじめ表側ケース３に組み付けて、表側ケース３と一体的に取り扱うことができるので、従来の基板ケースと同等の組立性や取扱性を継承することができる。
【００２８】
表側ケース３に対するガラスホルダ６、７（ガラス板５）の固定方法は、様々な固定方法の中から任意に選択することができる。
例えば、図３に示すように、表側ケース３の側壁内面に複数（例えば、４箇所）の係止爪３１を突設しておき、表側ケース３の凹室に圧入、嵌合させたガラスホルダ６、７の下端を係止爪３１に係合させれば、ガラスホルダ６、７の脱落を規制することができる。
また、図４に示すように、表側ケース３の凹室天井面に複数（例えば、４箇所）のボス３２を突設しておき、表側ケース３の凹室に収容したガラスホルダ７の四隅をボス３２にネジ止めするようにしてもよい。
【００２９】
［第二実施形態］
次に、本発明に係る遊技機用基板ケースの第二実施形態について、図５を参照しつつ説明する。
図５は、本実施形態に係る遊技機用基板ケースの概略断面図である。
同図に示す本実施形態に係る遊技機用基板ケースは、上述した第一実施形態の変形実施形態であり、一対のガラスホルダ６、７間に挟まれたガラス板５が、ガラスホルダ６、７を介して、主基板２に固定される構成としてある。
従って、その他の構成部分は、第一実施形態と同様となっており、同様の構成部分については、図中で第一実施形態と同一符号を付し、詳細な説明は省略する。
【００３０】
具体的に説明すると、ガラスホルダ７の下端は、主基板２の部品実装面と当接するとともに、複数の係止爪７１を有しており、これらの係止爪７１を主基板２の対応位置に形成される係止孔（図示せず）に差し込むことにより、係止爪７１が抜け止めされ、ガラスホルダ７が主基板２に一体的に固定されるようになっている。
このような構成によれば、表側ケース３や裏側ケース４に変更を加えなくても、ガラス板５の固定が可能になるので、本発明に係る主基板ケース１の実施が容易になるとともに、実施のコストを削減することができる。
なお、主基板２に対するガラスホルダ６、７（ガラス板５）の固定方法は、上記の方法に限定されないことは勿論であり、例えば、ガラスホルダ７の四隅を主基板２にネジ止めするようにしても良い。
【００３１】
［第三実施形態］
次に、本発明に係る遊技機用基板ケースの第三実施形態について、図６を参照しつつ説明する。
図６は、本実施形態に係る遊技機用基板ケースの概略断面図である。
同図に示す本実施形態に係る遊技機用基板ケースは、上述した第一実施形態の変形実施形態であり、一対のガラスホルダ６、７間に挟まれたガラス板５が、ガラスホルダ６、７を介して、裏側ケース４に固定される構成としてある。
従って、その他の構成部分は、第一実施形態と同様となっており、同様の構成部分については、図中で第一実施形態と同一符号を付し、詳細な説明は省略する。
【００３２】
具体的に説明すると、裏側ケース４の凹室底面に複数（例えば、４箇所）のボス４１を突設しておき、ガラスホルダ７の四隅をボス４１にネジ止めする。
このような構成によれば、表側ケース３や主基板２に変更を加えなくても、ガラス板５の固定が可能になるので、本発明に係る主基板ケース１の実施が容易になるとともに、実施のコストを削減することができる。
なお、裏側ケース４に対するガラスホルダ６、７（ガラス板５）の固定方法は、上記の方法に限定されないことは勿論であり、例えば、裏側ケース４に係止爪（図示せず）を形成しておき、これらの係止爪でガラスホルダ７の下端部を係合状に固定するようにしても良い。
【００３３】
［第四実施形態］
次に、本発明に係る遊技機用基板ケースの第四実施形態について、図７を参照しつつ説明する。
図７は、本実施形態に係る遊技機用基板ケースの概略断面図である。
同図に示す本実施形態に係る遊技機用基板ケースは、上述した第一実施形態の変形実施形態であり、ガラス板５が、表側ケース３の内側面とガラスホルダ７との間に挟まれる構成としてある。
従って、その他の構成部分は、第一実施形態と同様となっており、同様の構成部分については、図中で第一実施形態と同一符号を付し、詳細な説明は省略する。
【００３４】
具体的に説明すると、表側ケース３の凹室内に、ガラス板５と、ガラスホルダ７を順次重ね合わせた状態で収容し、ガラス板５を表側ケース３とガラスホルダ７との間で挟持する。このとき、表側ケース３に対するガラスホルダ７の固定方法は任意であり、例えば、圧入、接着、係止、ネジ止めなどを選択することができる。
このような構成によれば、上述した他の実施形態に比べ、必要なガラスホルダ７の点数を削減し、構造の簡略化やコストダウンが図れる。また、表側ケース３に対するガラスホルダ７の固定方法として圧入や接着を選択する場合には、表側ケース３に変更を加える必要がないので、既存の主基板ケース１をそのまま利用して本発明を実施できるという利点がある。
【００３５】
以上、本発明の遊技機用基板ケースについて、好ましい実施形態を示して説明したが、本発明に係る遊技機用基板ケースは、上述した実施形態にのみ限定されるものではなく、本発明の範囲で種々の変更実施が可能であることは言うまでもない。
【００３６】
例えば、ガラス板は、基板ケースの外側面に沿って配置することもできる。
また、ガラス板は、ガラスホルダを用いることなく、固定することができる。例えば、ガラス板の端部を係止爪で直接係止する方法や、インモールド成形によりガラス板を基板ケースに一体成形する方法が適用可能である。
【００３７】
また、保護対象となる回路基板としては、主基板に限定されるものではなく、副基板や周辺基板など遊技機に配設される全ての回路基板に適用することができる。
さらに、本発明の対象となる遊技機としては、スロットマシンに限定させるものでなく、パチンコ機やアレンジボール機、雀球機等の回路基板を備える全ての遊技機に適用可能である。
【産業上の利用可能性】
【００３８】
本発明は、遊技機に取り付けられる回路基板を保護する遊技機用基板ケースとして広く利用することができる。
【図面の簡単な説明】
【００３９】
【図１】本発明の第一実施形態に係る遊技機用基板ケースを示す概略斜視図である。
【図２】本発明の第一実施形態に係る遊技機用基板ケースを配設した状態を示す遊技機の概略斜視図である。
【図３】本発明の第一実施形態に係る遊技機用基板ケースの概略断面図である。
【図４】本発明の第一実施形態の変形例に係る遊技機用基板ケースの概略断面図である。
【図５】本発明の第二実施形態に係る遊技機用基板ケースの概略断面図である。
【図６】本発明の第三実施形態に係る遊技機用基板ケースの概略断面図である。
【図７】本発明の第四実施形態に係る遊技機用基板ケースの概略断面図である。
【符号の説明】
【００４０】
１      主基板ケース
２      主基板
２１    メインロム
３      表側ケース
３１    係止爪
３２    ボス
４      裏側ケース
４１    ボス
５      ガラス板
６      ガラスホルダ
７      ガラスホルダ
７１    係止爪
１００  スロットマシン
１０１  前扉
１０２  筐体
【図１】
2009089929.tif 000003
【図２】
2009089929.tif 000004
【図３】
2009089929.tif 000005
【図４】
2009089929.tif 000006
【図５】
2009089929.tif 000007
【図６】
2009089929.tif 000008
【図７】
2009089929.tif 000009